(57)【特許請求の範囲】
【請求項１】
回転操作軸に複数本の放射状スポークを介して連結支持されている輪形ハンドルを回転操作する際に利用する輪形ハンドル用回転器具であって、
先端側から離隔する把持部を把持して操作する長尺な棒状部材の操作棒と、該操作棒の先端側に位置して当該操作棒に対して直交する方向に突出する短尺な棒状部材の第１突棒と、前記操作棒の先端側で前記第１突棒よりも前記把持部側に位置するように並んで同一方向に突出する短尺な棒状部材の第２突棒と、を備えて、前記第１、第２突棒の少なくとも一方を前記放射状スポークと前記輪形ハンドルとの間の空間内に差し込んで使用する構造に作製されており、
前記操作棒は、前記第１突棒が一体に設けられている第１先端部と、前記第２突棒が一体に設けられている第２先端部と、前記把持部が一体に設けられている本体部と、を備えて、
前記第１、第２先端部のうちの一方が前記本体部と一体に形成されて他方が前記本体部と別体に形成されるとともに、該第１、第２先端部のうちの一方が筒形状に形成されて他方が当該一方の筒形状内に収容させる差込形状に形成され、当該第１、第２先端部を互いに前記本体部の長さ方向に近接または離隔する相対移動自在に連結するスライド構造と、
前記第１、第２先端部のうちの一方と一体の部材に形成されて前記本体部の長さ方向に延長されている雌ネジ部、および、該第１、第２先端部のうちの他方と一体の部材または当該他方と別体で長さ方向に位置決めされている部材に形成されて前記本体部の長さ方向に延長されている雄ネジ部を有し、前記雌ネジ部および前記雄ネジ部を同軸になるように対面させてネジ山同士を噛み合わせた状態で相対回転させることにより前記本体部の長さ方向に当該噛み合わせ位置を移動させるネジ構造と、
を具備することを特徴とする輪形ハンドル用回転器具。
【請求項２】
前記ネジ構造として、
前記雄ネジ部は、前記第１、第２先端部のうちの他方と一体の円柱形状の外周面に前記ネジ山が形成されて、
前記雌ネジ部は、前記第１、第２先端部のうちの一方の筒形状の内周面に前記ネジ山が形成されていることを特徴とする請求項１に記載の輪形ハンドル用回転器具。
【請求項３】
前記第２先端部は、前記本体部の長さ方向に延長されて内部に前記雌ネジ部が形成される該本体部と一体の筒形状部に作製され、
前記第１先端部は、前記本体部の長さ方向に延長されて前記第２先端部の筒形状部内に差し込まれる円柱形状部が作製されて該本体部と別体の前記雄ネジ部が形成されており、
前記第２先端部の前記筒形状部内に前記第１先端部の前記円柱形状部を差し込みつつ該筒形状部に対して同軸に相対回転させることにより前記雌ネジ部に前記雄ネジ部を噛み合わせる位置を調整することを特徴とする請求項２に記載の輪形ハンドル用回転器具。
【請求項４】
前記第２先端部は、前記本体部の長さ方向に延長されて内部に前記雌ネジ部が形成される該本体部と別体の筒形状部に作製され、
前記第１先端部は、前記本体部の長さ方向に延長されて前記第２先端部の筒形状部内に位置する円柱形状部が該第２先端部よりも長尺に作製されて該本体部と一体の前記雄ネジ部が形成されており、
前記第２先端部の前記筒形状部を内部の前記第１先端部の前記円柱形状部に対して同軸に相対回転させることにより前記雄ネジ部に前記雌ネジ部を噛み合わせる位置を調整することを特徴とする請求項２に記載の輪形ハンドル用回転器具。
【請求項５】
前記雄ネジ部は、前記円柱形状の外面で前記本体部の長さ方向に連続するストッパ溝が形成され、
前記雌ネジ部は、前記筒形状の内周面に開口して前記ストッパ溝にピン形状部材を差込可能に開口するストッパ孔が穿孔形成されており、
当該ピン形状部材を備えることを特徴とする請求項２、３または４に記載の輪形ハンドル用回転器具。
【請求項６】
前記スライド構造として、
前記第２先端部は、筒形状に形成されて、
前記第１先端部は、該第２先端部の筒形状内に収容させる差込形状に形成されて、
当該第１、第２先端部を互いに前記本体部の長さ方向に近接または離隔する相対移動自在かつ相対回転不能に連結する構造に形成されており、
前記ネジ構造として、
前記雌ネジ部は、前記第１先端部の差込形状内に前記本体部の長さ方向の延長空間を形成して該延長空間の内面に前記ネジ山を形成することにより作製され、
前記雄ネジ部は、前記第２先端部側と別体に前記雌ネジ部内で同軸に相対回転自在に該第２先端部側に支持される円柱部材の外周面に前記ネジ山を形成することにより作製されていることを特徴とする請求項１に記載の輪形ハンドル用回転器具。
【請求項７】
前記第１先端部は、前記第２先端部の筒形状内部で前記本体部の長さ方向に近接または離隔する相対移動自在かつ相対回転不能に収納される筒形状の差込形状部を備えて、該差込形状部の内周面に前記雌ネジ部の前記ネジ山が形成され、
前記円柱部材は、外周面の前記雄ネジを前記第１先端部の前記差込形状部内の前記雌ネジ部に噛み合わせており、
当該円柱部材は、前記本体部側に長さ方向に一致する回転軸を中心にして回転自在に支持されている操作部材に、該本体部内を回転自在に貫通する連結棒を介して連結され、
前記本体部の前記把持部を把持しつつ前記連結棒を介して前記円柱部材を回転させるように前記操作部材を操作することにより、前記第２先端部の筒形状内に相対移動自在に収納されている前記第１先端部の前記差込形状部の前記雌ネジ部と該円柱部材の前記雄ネジの噛み合い位置を調整することを特徴とする請求項６に記載の輪形ハンドル用回転器具。
【請求項８】
前記操作部材は、前記本体部の前記第１、第２先端部から最も離隔する端部に同軸回転自在に取り付けられていることを特徴とする請求項７に記載の輪形ハンドル用回転器具。
【請求項９】
前記第２先端部は、筒形状内部の前記円柱部材を同一位置で回転自在に支持する軸受け部材を備えるとともに、該円柱部材の外周面の前記雄ネジ部の前記ネジ山を操作可能にする面積で外部に露出させる操作窓が開口し、
前記第１先端部は、前記第２先端部内の前記円柱部材の外周面の前記雄ネジ部の前記ネジ山を操作可能にする面積で外部に露出させるとともに、前記軸受け部を前記本体部の長さ方向に相対移動自在に収容するスリットが開口しており、
前記第２先端部の前記操作窓および前記第１先端部の前記スリットから露出する前記円柱部材の前記雄ネジ部を回転させることにより該雄ネジ部の前記雌ネジ部との噛み合い位置を調整して該第２先端部に対して該第１先端部を前記本体部の長さ方向に相対移動させることを特徴とする請求項６に記載の輪形ハンドル用回転器具。
【発明の詳細な説明】
【技術分野】
【０００１】
本発明は、輪形ハンドル用回転器具に関し、詳しくは、棒状部材先端の一対の突部を引っ掛けて輪形ハンドルを回転させるものに関する。
【背景技術】
【０００２】
発電所などのプラントには、大小様々なバルブを手動操作するための輪形ハンドルが各所に設置されている。この輪形ハンドルは、大径になるほど回転負荷が大きいことから、作業員一人で作業しなければならないときなどには、テコの原理を利用する輪形ハンドル用回転器具を用いて回転操作するのが一般的である。
【０００３】
この種の輪形ハンドル用回転器具としては、例えば、図５に示すように、一端側を把持する操作棒１０１の先端に直交方向に突出する一対の第１、第２突棒１１１、１１２を備える、所謂、ウィルキ１００が知られている。このウィルキ１００は、図６に示すように、輪形ハンドルＨを支持するスポークＳを跨ぐように第１、第２突棒１１１、１１２を差し込んで、その第１、第２突棒１１１、１１２を支点および力点として、把持する操作棒１０１の一端側を作用点とするように操作する構造になっている（特許文献１を参照）。
このウィルキ１００は、第１、第２突棒１１１、１１２の間隔が固定されていることから、操作可能な輪形ハンドルＨのサイズがある程度決まってしまうので、都度、最適な種別を選択・準備して持ち運ばなければならず、場合によっては複数本準備して持ち運ばなければならない場合もある。このような場合には、作業負担が大きく、作業効率の低下要因にもなっている。
【０００４】
このことから、特許文献２では、操作棒の両端側に間隔の異なる第１、第２突棒を備えるウィルキが提案されている。また、特許文献３では、先端側の第１突棒を第２突棒に対して近接離隔可能なスライド構造を採用して、その間隔をネジにより締め付けて固定するウィルキが提案されている。
【先行技術文献】
【特許文献】
【０００５】
【特許文献１】特開２０１１−１８９４３２号公報
【特許文献２】特開２００５−  ７０２７６号公報
【特許文献３】特開２００７−１６７２１２号公報
【発明の概要】
【発明が解決しようとする課題】
【０００６】
しかしながら、このような特許文献２に記載のウィルキ（輪形ハンドル用回転器具）にあっては、操作棒の両端側に２種類の間隔の第１、第２突棒が準備されているが、より汎用性を向上させたいとの要望がある。
また、特許文献３に記載のウィルキにあっては、第１、第２突棒の間隔を調整する際には、スライド構造を位置決めしつつネジ止めする作業が必要であることから、１人で容易に作業できるように作業性を向上させる余地がある。
そこで、本発明は、汎用性が高く、かつ、調整作業の容易な輪形ハンドル用回転器具を提供することを目的としている。
【課題を解決するための手段】
【０００７】
上記課題を解決する輪形ハンドル用回転器具の発明の一態様は、回転操作軸に複数本の放射状スポークを介して連結支持されている輪形ハンドルを回転操作する際に利用する輪形ハンドル用回転器具であって、先端側から離隔する把持部を把持して操作する長尺な棒状部材の操作棒と、該操作棒の先端側に位置して当該操作棒に対して直交する方向に突出する短尺な棒状部材の第１突棒と、前記操作棒の先端側で前記第１突棒よりも前記把持部側に位置するように並んで同一方向に突出する短尺な棒状部材の第２突棒と、を備えて、前記第１、第２突棒の少なくとも一方を前記放射状スポークと前記輪形ハンドルとの間の空間内に差し込んで使用する構造に作製されており、前記操作棒は、前記第１突棒が一体に設けられている第１先端部と、前記第２突棒が一体に設けられている第２先端部と、前記把持部が一体に設けられている本体部と、を備えて、前記第１、第２先端部のうちの一方が前記本体部と一体に形成されて他方が前記本体部と別体に形成されるとともに、該第１、第２先端部のうちの一方が筒形状に形成されて他方が当該一方の筒形状内に収容させる差込形状に形成され、当該第１、第２先端部を互いに前記本体部の長さ方向に近接または離隔する相対移動自在に連結するスライド構造と、前記第１、第２先端部のうちの一方と一体の部材に形成されて前記本体部の長さ方向に延長されている雌ネジ部、および、該第１、第２先端部のうちの他方と一体の部材または当該他方と別体で長さ方向に位置決めされている部材に形成されて前記本体部の長さ方向に延長されている雄ネジ部を有し、前記雌ネジ部および前記雄ネジ部を同軸になるように対面させてネジ山同士を噛み合わせた状態で相対回転させることにより前記本体部の長さ方向に当該噛み合わせ位置を移動させるネジ構造と、を具備することを特徴とするものである。
【発明の効果】
【０００８】
このように本発明の一態様によれば、筒形状内に差込形状を差込収容して連結する第１、第２先端部は、操作棒の本体部と一体の一方に対して別体の他方を、互いに噛み合い連結するネジ構造の雄ネジ部と雌ネジ部を相対的に同軸回転させて互いの噛み合い位置を移動させることができる。
このため、第１、第２先端部の雄ネジ部と雌ネジ部の相対位置を本体部（操作棒）の長さ方向にスライドさせることができる。また、第１、第２先端部の雄ネジ部と雌ネジ部の噛み合いにより、単なるスライド構造のように一方から他方が簡単に脱落してしまうことを制限することができる。
したがって、操作対象の輪形ハンドルや放射スポークの形状サイズに適するように、ネジ構造の雄ネジ部と雌ネジ部を相対的に同軸回転させるように操作するだけで、第１、第２先端部のそれぞれに一体の第１、第２突棒の間隔を容易に調整することができる。
【図面の簡単な説明】
【０００９】
【図１】図１は、本発明に係る輪形ハンドル用回転器具の第１実施形態を示す図であり、（ａ）はその全体構成を示す平面図、（ｂ）はその要部構成を示す分解平面図である。
【図２】図２は、本発明に係る輪形ハンドル用回転器具の第２実施形態の全体構成を示す平面図である。
【図３】図３は、本発明に係る輪形ハンドル用回転器具の第３実施形態を示す図であり、（ａ）はその全体構成を示す平面図、（ｂ）はその要部構成を示す長さ方向に平行な縦断面図である。
【図４】図４は、本発明に係る輪形ハンドル用回転器具の第４実施形態を示す図であり、（ａ）はその要部構成を示す平面図、（ｂ）はその要部構成を示す長さ方向に平行な縦断面図、（ｃ）は（ａ）におけるＡ−Ａ縦断面図である。
【図５】その一般的な輪形ハンドル用回転器具（ウィルキ）を示す平面図である。
【図６】その輪形ハンドル用回転器具で回転操作する作業対象を示す図であり、（ａ）はその反時計回り方向への回転操作時を示す正面図、（ｂ）はその時計回り方向への回転操作時を示す正面図である。
【発明を実施するための形態】
【００１０】
本発明の実施形態の一態様としては、上記の課題解決手段を基本構成とするのに加えて、次の構成を備えてもよい。
第１の他の態様としては、前記ネジ構造として、前記雄ネジ部は、前記第１、第２先端部のうちの他方と一体の円柱形状の外周面に前記ネジ山が形成されて、前記雌ネジ部は、前記第１、第２先端部のうちの一方の筒形状の内周面に前記ネジ山が形成されていてもよい。
この態様では、第１、第２先端部のうちの他方の円柱形状外周面の雄ネジ部に、第１、第２先端部のうちの一方の筒形状内周面の雌ネジ部を噛み合い連結させることができ、その第１、第２先端部の互いに噛み合うネジ構造を軸心周りに相対回転させることができる。したがって、第１、第２先端部の第１、第２突棒の一方を本体部の延長線周りに周回回転させるように操作して雄ネジ部と雌ネジ部の噛み合い位置を本体部の長さ方向にスライドさせることができ、その第１、第２突棒の間隔を容易に調整することができる。
【００１１】
第２の他の態様としては、前記第２先端部は、前記本体部の長さ方向に延長されて内部に前記雌ネジ部が形成される該本体部と一体の筒形状部に作製され、前記第１先端部は、前記本体部の長さ方向に延長されて前記第２先端部の筒形状部内に差し込まれる円柱形状部が作製されて該本体部と別体の前記雄ネジ部が形成されており、前記第２先端部の前記筒形状部内に前記第１先端部の前記円柱形状部を差し込みつつ該筒形状部に対して同軸に相対回転させることにより前記雌ネジ部に前記雄ネジ部を噛み合わせる位置を調整するようにしてもよい。
この態様では、本体部から第２先端部よりも離隔する先端側に位置して別体の第１先端部は、円柱形状部外周面の雄ネジ部を、本体部側で一体の第２先端部の筒形状部内の雌ネジ部に差し込んで軸心周りに周回回転させるだけで噛み合い連結させることができ、第１先端部の第１突棒を操作してその噛み合い位置を本体部の長さ方向にスライドさせることができる。
【００１２】
第３の他の態様としては、前記第２先端部は、前記本体部の長さ方向に延長されて内部に前記雌ネジ部が形成される該本体部と別体の筒形状部に作製され、前記第１先端部は、前記本体部の長さ方向に延長されて前記第２先端部の筒形状部内に位置する円柱形状部が該第２先端部よりも長尺に作製されて該本体部と一体の前記雄ネジ部が形成されており、前記第２先端部の前記筒形状部を内部の前記第１先端部の前記円柱形状部に対して同軸に相対回転させることにより前記雄ネジ部に前記雌ネジ部を噛み合わせる位置を調整するようにしてもよい。
この態様では、本体部側に位置して（隣接して）別体の第２先端部は、筒形状部内の雌ネジ部を、本体部からその第２先端部よりも離隔する先端側に位置して一体の第１先端部からその本体部側に延長されている円柱形状部外周面の雄ネジ部に噛み合い連結されている状態にあり、その第２先端部の第２突棒を軸心周りに周回回転させるように操作するだけで、その噛み合い位置を本体部の長さ方向にスライドさせることができる。
【００１３】
第４の他の態様としては、前記雄ネジ部は、前記円柱形状の外面で前記本体部の長さ方向に連続するストッパ溝が形成され、前記雌ネジ部は、前記筒形状の内周面に開口して前記ストッパ溝にピン形状部材を差込可能に開口するストッパ孔が穿孔形成されており、当該ピン形状部材を備えていてもよい。
この態様では、筒形状内周面の雌ネジ部に開口するストッパ孔にピン形状部材を貫通させて、その雌ネジ部に噛み合う円柱形状外面の雄ネジ部に形成されているストッパ溝内まで差し込むことで、ネジ構造の雌ネジ部と雄ネジ部の軸心周りの相対回転を制限することができ、その噛み合い位置を固定することができる。
【００１４】
第５の他の態様としては、前記スライド構造として、前記第２先端部は、筒形状に形成されて、前記第１先端部は、該第２先端部の筒形状内に収容させる差込形状に形成されて、当該第１、第２先端部を互いに前記本体部の長さ方向に近接または離隔する相対移動自在かつ相対回転不能に連結する構造に形成されており、前記ネジ構造として、前記雌ネジ部は、前記第１先端部の差込形状内に前記本体部の長さ方向の延長空間を形成して該延長空間の内面に前記ネジ山を形成することにより作製され、前記雄ネジ部は、前記第２先端部側と別体に前記雌ネジ部内で同軸に相対回転自在に該第２先端部側に支持される円柱部材の外周面に前記ネジ山を形成することにより作製されていてもよい。
この態様では、本体部側に一体の第２先端部の筒形状部内に、本体部からその第２先端部よりも離隔する先端側に位置する別体の第１先端部から突出する差込形状が差し込まれて、その差込形状内の雌ネジ部に第２先端部側に支持される円柱部材外周面の雄ネジ部を噛み合い連結させた状態にあり、その円柱部材（雄ネジ部）を第１先端部の差込形状（雌ネジ部）内で軸心周りに周回回転させるだけで、その噛み合い位置を本体部の長さ方向にスライドさせることができる。
【００１５】
第６の他の態様としては、前記第１先端部は、前記第２先端部の筒形状内部で前記本体部の長さ方向に近接または離隔する相対移動自在かつ相対回転不能に収納される筒形状の差込形状部を備えて、該差込形状部の内周面に前記雌ネジ部の前記ネジ山が形成され、前記円柱部材は、外周面の前記雄ネジを前記第１先端部の前記差込形状部内の前記雌ネジ部に噛み合わせており、当該円柱部材は、前記本体部側に長さ方向に一致する回転軸を中心にして回転自在に支持されている操作部材に、該本体部内を回転自在に貫通する連結棒を介して連結され、前記本体部の前記把持部を把持しつつ前記連結棒を介して前記円柱部材を回転させるように前記操作部材を操作することにより、前記第２先端部の筒形状内に相対移動自在に収納されている前記第１先端部の前記差込形状部の前記雌ネジ部と該円柱部材の前記雄ネジの噛み合い位置を調整するようにしてもよい。
この態様では、本体部の把持部を把持しつつ操作部材を回転させるだけで、第２先端部に回転自在に支持される円柱部材（雄ネジ部）を連結棒を介して回転させることができ、その外周面に形成されて第１先端部の差込形状内の雌ネジ部に噛み合う雄ネジ部を相対回転させて、その第１先端部を第２先端部や本体部に対して長さ方向にスライドさせることができる。
【００１６】
第７の他の態様としては、前記操作部材は、前記本体部の前記第１、第２先端部から最も離隔する端部に同軸回転自在に取り付けられていてもよい。
この態様では、本体部の把持部を把持しつつその本体部の端部に位置する操作部材を回転操作することができ、作業姿勢を維持したまま、操作対象の輪形ハンドルや放射スポークの形状サイズに適するように第１、第２突棒の間隔を調整することができる。
【００１７】
第８の他の態様としては、前記第２先端部は、筒形状内部の前記円柱部材を同一位置で回転自在に支持する軸受け部材を備えるとともに、該円柱部材の外周面の前記雄ネジ部の前記ネジ山を操作可能にする面積で外部に露出させる操作窓が開口し、前記第１先端部は、前記第２先端部内の前記円柱部材の外周面の前記雄ネジ部の前記ネジ山を操作可能にする面積で外部に露出させるとともに、前記軸受け部を前記本体部の長さ方向に相対移動自在に収容するスリットが開口しており、前記第２先端部の前記操作窓および前記第１先端部の前記スリットから露出する前記円柱部材の前記雄ネジ部を回転させることにより該雄ネジ部の前記雌ネジ部との噛み合い位置を調整して該第２先端部に対して該第１先端部を前記本体部の長さ方向に相対移動させるようにしてもよい。
この態様では、第２先端部の操作窓と第１先端部のスリットから露出して、第２先端部に回転自在に支持される円柱部材（雄ネジ部）を操作するだけで、その外周面に形成されて第１先端部の差込形状内の雌ネジ部に噛み合う雄ネジ部を相対回転させることができ、その第１先端部を第２先端部や本体部に対して長さ方向にスライドさせることができる。
【００１８】
（第１実施形態）
以下、図面を参照して、本発明の実施形態について詳細に説明する。図１は本発明に係る輪形ハンドル用回転器具の第１実施形態を示す図である。
図１において、輪形ハンドル用回転器具１０は、図６に示すような輪形ハンドルＨを回転操作する際に利用する、所謂、ウィルキ１０として構築されており、後述するストッパネジ（ピン形状部材）２５が付属されている。
ここで、輪形ハンドルＨは、発電所等（プラント）における各種流体の流通量を調整・遮断するために設置されているバルブの回転操作軸Ａｘに、放射状のスポークＳを介して連結支持されており、そのスポークＳとの連結部に一定以上の連結強度が得られるようにボール形状部Ｈｂが形成されている。
【００１９】
このウィルキ１０は、図５に示すウィルキ１００と同様に、長尺な円柱棒状部材の操作棒１１と、短尺な円柱棒状部材の第１、第２突棒２１、２２と、を備える構造に、例えば、所望の強度を備えるように鋼材で作製されている。
操作棒１１は、一端側端部を把持部１２として操作し、その把持部１２から離隔する第１、第２先端部１３、１４のそれぞれに、輪形ハンドル用回転器具として機能させるための第１、第２突棒２１、２２が直交する姿勢で突出するように溶接等により一体に固定されている。
第１、第２突棒２１、２２は、そのうちの少なくとも一方を、輪形ハンドルＨとスポークＳとに囲まれた空間内に差し込んで外周面を押し付けることができる程度の長さに形成されている。
また、操作棒１１は、把持部１２をテコの原理における作用点として操作して、先端側の第１、第２突棒２１、２２の外周面を輪形ハンドルＨやスポークＳに押し付けて支点や力点として機能させることにより、輪形ハンドルＨを小さな負荷で回転させることができる程度の長さを有している。
【００２０】
そして、操作棒１１の第１、第２先端部１３、１４は、一端側を把持部１２として機能させる操作棒１１の本体部の先端側に位置しており、第１突棒２１と一体の第１先端部１３が最先端に位置して、第２突棒２２と一体の第２先端部１４がその第１先端部１３よりも把持部１２側に位置するように隣接している。
第２先端部１４は、把持部１２側本体部を延長した一体形状のまま、その円柱棒状の先端面に円柱形状の空間１６が開口するように穿孔されて円筒形状部として機能するように作製されている。ここで、本実施形態では、第２先端部１４を円筒形状に作製する場合を一例として説明するが、これに限るものではない。例えば、操作棒１１は、全体として断面４角の柱状棒状部材を採用して、その第２先端部１４の先端側端面に円柱形状空間１６を穿孔形成し、後述の第１先端部１３の円柱形状部１５を回転可能に収納する構造にしてもよい（他の実施形態においても同様）。
第１先端部１３は、把持部１２側の本体部と別体で同径の円柱状部材に作製されており、この第１先端部１３の第２先端部１４側の端面にはその円柱形状空間１６内に差込可能な外径で同軸に延長されている円柱形状部（差込形状）１５が一体に形成されている。
これにより、第１先端部１３は、円筒形状の第２先端部１４の円柱形状空間１６内に円柱形状部１５を差し込んで、その第２先端部１４に対して操作棒１１の長さ方向に近接または離隔させる方向に相対移動自在に連結させることができる。すなわち、第１、第２先端部１３、１４は、スライド構造に作製されて連結されている。
【００２１】
この第１先端部１３の円柱形状部１５は、外周面を雄ネジ部１７とするネジ山が長さ方向に延長形成され、また、第２先端部１４の円柱形状空間１６は、内周面を雌ネジ部１８とするネジ山が長さ方向に延長形成されており、これら雄ネジ部１７と雌ネジ部１８とは、互いに対面させて噛み合わせることにより連結させるネジ構造になっている。
これにより、第１、第２先端部１３、１４は、雄ネジ部１７と雌ネジ部１８を互いに噛み合わせた状態にして正逆方向に同軸に相対回転させることにより、その噛み合わせ位置を円柱形状部１５の長さ程度にスライド移動させることができ、互いの第１、第２突棒２１、２２の間の離隔間隔を調整することができる。また反対に、雄ネジ部１７と雌ネジ部１８が互いに噛み合わせた状態になることにより、単なるスライド構造とは異なって、第１先端部１３が第２先端部１４から簡単に脱落してしまうことを制限することができる。
【００２２】
さらに、第１先端部１３の円柱形状部１５は、外周面の雄ネジ部１７のネジ山を切り欠きつつ横断するストッパ溝１９が長さ方向に延長形成されており、第２先端部１４には、その外面から内部の円柱形状空間１６内に貫通するネジ孔（ストッパ孔）２０が形成されている。
ストッパネジ２５は、第２先端部１４のネジ孔２０に挿し込んで円柱形状空間１６内まで貫通させて第１先端部１３のストッパ溝１９内に先端部を位置させることができる長さに作製されている。なお、ストッパネジ２５は、第２先端部１４のネジ孔２０にネジ止めする構造に限らず、簡単には抜けないような、例えば、ゴム付きのピン形状部材に作製してもよい。
これにより、ストッパネジ２５は、第２先端部１４のネジ孔２０にネジ止めして第１先端部１３の円柱形状部１５のストッパ溝１９内に先端部を位置させることにより、その第１、第２先端部１３、１４の相対的な同軸回転を制限することができ、その第１、第２突棒２１、２２の離隔間隔を調整（変更）不能に固定することができる。
【００２３】
したがって、ウィルキ１０は、第１突棒２１（第１先端部１３）を第２突棒２２（第２先端部１４）に対して操作棒１１の軸心（延長線）周りに正逆方向に回転させるだけで、その互いの離隔間隔を作業対象の輪形ハンドルＨやスポークＳの角部に位置させるように調整することができる。その第１、第２突棒２１、２２は、操作作業時に相対回転不能にストッパネジ２５で固定することができ、第１突棒２１が回転してしまって輪形ハンドルＨから外れることを容易に制限することができる。
【００２４】
このように本実施形態においては、操作棒１１先端の第２突棒２２に対して第１突棒２１を回転させるだけで、輪形ハンドルＨの回転操作を容易に行い得る離隔間隔に調整することができ、輪形ハンドルＨのサイズ毎に複数種のウィルキを準備する必要がない。また、その第１、第２突棒２１、２２の離隔間隔は、ネジ構造を相対回転させることでスライド構造をスライドさせることができ、所望の離隔間隔に調整することができる。さらに、容易に先端部が脱落しない構造となっており、作業の安全性を向上することができる。したがって、汎用性が高く、かつ、調整作業が容易であり、より安全に作業可能なウィルキ１０を提供することができる。
【００２５】
（第２実施形態）
次に、図２は本発明に係る輪形ハンドル用回転器具の第２実施形態を示す図である。ここで、本実施形態は上述実施形態と略同様に構成されていることから、同様な構成には同一の符号を付して特徴部分を説明する（以下で説明する他の実施形態においても同様）。
図２において、ウィルキ３０は、上述実施形態のウィルキ１０と同様に、操作棒１１と、第１、第２突棒２１、２２とを備え、また、ストッパネジ２５を付属して利用する構造に構築されている。
【００２６】
そして、本実施形態の操作棒１１は、上述実施形態と同様に、先端側に第１、第２先端部３３、３４を備えている。
第１先端部３３は、操作棒１１の最先端に位置して第１突棒２１を一体に設けられている。この第１先端部３３は、円柱形状部３５の先端側を把持部１２（本体部）側と同軸に連続させて一体形成されている。円柱形状部３５は、第２突棒２２（第２先端部３４）の長さ方向へのスライド調整量程度の長さを有するように形成されており、その外周面に雄ネジ部３７とするネジ山が長さ方向に延長形成されている。
第２先端部３４は、第１先端部３３よりも把持部１２側に位置するように隣接して第２突棒２２を一体に設けられている。この第２先端部３４は、第１先端部３３から連続する円柱形状部３５を貫通させて収容する円柱形状空間３６を有する円筒形状部に形成されており、その内部の円柱形状空間３６には、内周面を雌ネジ部３８とするネジ山が長さ方向に延長形成されている。
これにより、第２先端部３４は、第１先端部３３の円柱形状部３５を円柱形状空間３６内に収容する状態で、その第１先端部３３や把持部１２に対して近接または離隔させる操作棒１１の長さ方向に相対移動自在に取り付ける（連結させる）ことができる。また、第１、第２先端部３３、３４は、円柱形状部３５と円柱形状空間３６の雄ネジ部３７と雌ネジ部３８を互いに対面させて噛み合わせることにより連結させるネジ構造になっている。すなわち、この第１、第２先端部３３、３４は、互いに正逆方向に同軸に相対回転させることにより、その噛み合わせ位置を長さ方向にスライド移動させるスライド構造にも作製されて、互いの第１、第２突棒２１、２２の間の離隔間隔を調整することができる。
【００２７】
また、第１先端部３３の円柱形状部３５は、雄ネジ部３７のネジ山を切り欠いて長さ方向に延長されているストッパ溝３９が形成されており、第２先端部３４には、外面から円柱形状空間３６内に貫通してストッパネジ２５をネジ止めすることができるネジ孔４０が形成されている。
これにより、ストッパネジ２５は、第２先端部３４のネジ孔４０にネジ止めして第１先端部３３の円柱形状部３５のストッパ溝３９内に先端部を位置させることにより、その第１、第２先端部３３、３４の相対的な同軸回転を制限することができ、その第１、第２突棒２１、２２の離隔間隔を調整（変更）不能に固定することができる。
【００２８】
したがって、ウィルキ３０では、第２突棒２２（第２先端部３４）を第１突棒２１（第１先端部３３）に対して操作棒１１の軸心（延長線）周りに正逆方向に回転させるだけで、互いの離隔間隔を作業対象の輪形ハンドルＨやスポークＳの角部に位置させるように調整することができる。その第１、第２突棒２１、２２は、操作作業時に相対回転不能にストッパネジ２５で固定することができ、第２突棒２２が回転してしまって輪形ハンドルＨから外れることを容易に制限することができる。
【００２９】
このように本実施形態においては、上述実施形態と同様に、操作棒１１先端の第１突棒２１に対して第２突棒２２を回転させるだけで、輪形ハンドルＨの回転操作を容易に行い得る離隔間隔に調整することができ、輪形ハンドルＨのサイズ毎に複数種のウィルキを準備する必要がない。また、その第１、第２突棒２１、２２の離隔間隔は、ネジ構造を相対回転させることでスライド構造をスライドさせることができ、所望の離隔間隔に調整することができる。さらに、容易に先端部が脱落しない構造となっており、作業の安全性を向上することができる。したがって、汎用性が高く、かつ、調整作業が容易であり、より安全に作業可能なウィルキ１０を提供することができる。
【００３０】
（第３実施形態）
図３は本発明に係る輪形ハンドル用回転器具の第３実施形態を示す図である。
図３において、ウィルキ５０は、上述実施形態のウィルキ１０と同様に、操作棒１１と、第１、第２突棒２１、２２とを備えて、これに加えて、内蔵ネジ（円柱部材）６０を設けることにより、ストッパネジ２５の付属を不要にする構造に構築されている。
【００３１】
そして、本実施形態の操作棒１１は、上述実施形態と同様に、先端側に第１、第２先端部５３、５４を備えている。
第２先端部５４は、把持部１２側本体部を延長した一体形状のまま、その円柱棒状の先端面に円柱形状空間５６が開口するように穿孔されて円筒形状部として機能する。
第１先端部５３は、把持部１２側の本体部と別体で同径の円柱状部材に作製されており、この第１先端部５３の第２先端部５４側の端面には、その円柱形状空間５６内に差込可能な外径で同軸に延長されている円筒形状部（差込形状部）５５が一体に形成されている。
これにより、第１先端部５３は、円筒形状の第２先端部５４の円柱形状空間５６内に円筒形状部５５を差し込んで、その第２先端部５４に対して操作棒１１の長さ方向に近接または離隔させる方向に相対移動自在に連結させることができる。すなわち、第１、第２先端部５３、５４は、スライド構造に作製されて連結されている。
【００３２】
また、第１先端部５３は、円筒形状部５５の外面で長さ方向に延長されている少なくとも１本好ましくは２本以上のリブ形状部５７が形成されており、第２先端部５４には、円柱形状空間５６の内面に、そのリブ形状部５７を長さ方向にスライド自在に収容するスライド溝５９が形成されている。
これにより、第１、第２先端部５３、５４は、ストッパネジ２５を必要とすることなく、リブ形状部５７をスライド溝５９内に収容することで、その相対的な同軸回転を制限することができる。
【００３３】
また、第１先端部５３の円筒形状部５５は、円柱形状の内蔵ネジ６０を同軸となる姿勢にして内部の円柱形状の空間（延長空間）５６´内に相対的にスライド自在に収容する。
この第１先端部５３は、円筒形状部５５内の円柱形状空間５６´の内周面を雌ネジ部５８とするネジ山が長さ方向に延長形成され、また、内蔵ネジ６０には、その雌ネジ部５８に噛み合う雄ネジ部６７が外周面に形成されている。このため、これら雄ネジ部６７と雌ネジ部５８とは、互いに対面させて噛み合わせることにより連結させるネジ構造になっている。
この内蔵ネジ６０は、操作棒１１の手元側端部に同軸回転自在に取り付けられている操作部（操作部材）６１に、その操作棒１１内を回転自在に貫通する連結棒６２を介して連結されており、この連結棒６２は、内蔵ネジ６０と操作部６１の軸心同士を一体にして相対回転不能に連結するように設けられている。すなわち、内蔵ネジ６０は、第２先端部５４内の同一位置で回転自在に支持されて、雄ネジ部６７を第１先端部５３の円筒形状部５５内の雌ネジ部５８に噛み合わせた状態に取り付けられている。なお、第１先端部５３の円筒形状部５５は、先端側の開口内面が端部側ほど開口面積を拡大させるテーパ面５５ａに形成されており、その円柱形状空間５６´内に内蔵ネジ６０をセットする際に容易に案内させることができるようになっている。
これにより、操作棒１１は、手元側端部の操作部６１を正逆方向に回転させるだけで、第２先端部５４内の内蔵ネジ６０の雄ネジ部６７を正逆方向に回転させることができ、その雄ネジ部６７に噛み合う第１先端部５３の円筒形状部５５の雌ネジ部５８との噛み合い位置を長さ方向にスライド移動させることができ、互いの第１、第２突棒２１、２２の間の離隔間隔を調整することができる。
【００３４】
したがって、ウィルキ５０では、操作棒１１の手元側端部の操作部６１を回転操作するだけで、第１突棒２１（第１先端部５３）を第２突棒２２（第２先端部５４）に対して長さ方向に移動させることができ、互いの離隔間隔を作業対象の輪形ハンドルＨやスポークＳの角部に位置させるように調整することができる。
【００３５】
このように本実施形態においては、操作棒１１先端の第１、第２突棒２１、２２を相対回転させることなく、操作部６１を回転操作するだけで、上述実施形態と同様に、輪形ハンドルＨの回転操作を容易に行い得る離隔間隔に調整することができ、輪形ハンドルＨのサイズ毎に複数種のウィルキを準備する必要がない。さらに、容易に先端部が脱落しない構造となっており、作業の安全性を向上することができる。したがって、汎用性が高く、かつ、調整作業が容易であり、より安全に作業可能なウィルキ１０を提供することができる。
【００３６】
（第４実施形態）
図４は本発明に係る輪形ハンドル用回転器具の第４実施形態を示す図である。
図４において、ウィルキ７０は、上述実施形態のウィルキ１０と同様に、操作棒１１と、第１、第２突棒２１、２２とを備えて、これに加えて、内蔵ネジ８０を設けることにより、ストッパネジ２５の付属を不要にする構造に構築されている。
【００３７】
そして、本実施形態の操作棒１１は、上述実施形態と同様に、先端側に第１、第２先端部７３、７４を備えている。
第２先端部７４は、把持部１２側本体部を延長した一体形状のまま、その円柱棒状の先端面に円柱形状空間７６が開口するように穿孔されるとともに、その円柱形状空間７６に連続してその軸心を中心とする両側（図４では上下一対）にスライド溝７９が形成されている。このスライド溝７９は、後述する第１先端部７３側の差込形状部７５を収容可能に長さ方向に延長されている。
第１先端部７３は、把持部１２側の本体部と別体で同径の円柱状部材に作製されており、この第１先端部７３の第２先端部７４側の端面には、その円柱形状空間７６に連続するスライド溝７９内に差込可能に同一方向に延長されている一対の差込形状部７５が一体に形成されている。
これにより、第１先端部７３は、差込形状部７５を第２先端部７４内のスライド溝７９内に差し込んで、その第２先端部７４に対して操作棒１１の長さ方向に近接または離隔させる方向に相対移動自在に連結させることができる。これら第１、第２先端部７３、７４は、ストッパネジ２５を必要とすることなく、差込形状部７５をスライド溝７９内に収容することで、その相対的な同軸回転を制限することができる。すなわち、第１、第２先端部７３、７４は、相対回転不能に連結するスライド構造に作製されている。
【００３８】
また、第１先端部７３は、円柱形状の内蔵ネジ８０を同軸となる姿勢にして、一対の差込形状部７５の対向面間に相対的にスライド自在に収容するように形成されている。
この第１先端部７３は、差込形状部７５の対向面を雌ネジ部７８とするネジ山が長さ方向に延長形成され、また、内蔵ネジ８０には、その雌ネジ部７８に噛み合う雄ネジ部８７が外周面に形成されている。このため、これら雄ネジ部８７と雌ネジ部７８とは、互いに対面させて噛み合わせることにより連結させるネジ構造になっている。
この内蔵ネジ８０は、第２先端部７４の円柱形状空間７６の内周面のうちのスライド溝７９と重ならずに軸心を通る直交部材８１が両端側に設置されて、その直交部材８１間で軸心と一致するように設けられている回転軸８２に回転自在に支持されている。
また、第２先端部７４は、スライド溝７９に隣接する外周面を切り欠いて円柱形状空間７６を外部に露出させる操作窓（露出窓）８５が開口しており、この操作窓８５からは、第１先端部７３側の差込形状部７５間に形成されるスリットから突出する内蔵ネジ８０の外周面の雄ネジ部８７が回転操作可能に露出している。
これにより、第１先端部７３は、第２先端部７４の操作窓８５から露出する内蔵ネジ８０を正逆方向に回転操作するだけで、その雄ネジ部８７に噛み合う差込形状部７５の雌ネジ部７８との噛み合い位置を長さ方向にスライド移動させることができ、互いの第１、第２突棒２１、２２の間の離隔間隔を調整することができる。
【００３９】
したがって、ウィルキ７０では、操作棒１１の先端側の第２先端部７４で操作可能に露出する内蔵ネジ８０を回転操作するだけで、第１突棒２１（第１先端部７３）を第２突棒２２（第２先端部７４）に対して長さ方向に移動させて互いの離隔間隔を作業対象の輪形ハンドルＨやスポークＳの角部に位置させるように調整することができる。
【００４０】
このように本実施形態においては、上述第３実施形態と同様に、操作棒１１先端の第１、第２突棒２１、２２を相対回転させることなく、内蔵ネジ８０を直接回転操作するだけで、輪形ハンドルＨの回転操作を容易に行い得る離隔間隔に調整することができ、輪形ハンドルＨのサイズ毎に複数種のウィルキを準備する必要がない。さらに、容易に先端部が脱落しない構造となっており、作業の安全性を向上することができる。したがって、汎用性が高く、かつ、調整作業が容易であり、より安全に作業可能なウィルキ１０を提供することができる。
【００４１】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００４２】
これまで本発明の一実施形態について説明したが、本発明は上述の実施形態に限定されず、その技術的思想の範囲内において種々異なる形態にて実施されてよいことは言うまでもない。
【符号の説明】
【００４３】
１０、３０、５０、７０      ウィルキ（輪形ハンドル用回転器具）
１１   操作棒
１２   把持部
１３、３３、５３、７３      第１先端部
１４、３４、５４、７４      第２先端部
１５、３５    円柱形状部
１６、３６、５６、５６´、７６     円柱形状空間
１７、３７、６７、８７      雄ネジ部
１８、３８、５８、７８      雌ネジ部
１９、３９    ストッパ溝
２０、４０    ネジ孔
２１   第１突棒
２２   第２突棒
２５   ストッパネジ
５５   円筒形状部
５７   リブ形状部
５９、７９    スライド溝
６０、８０    内蔵ネジ
６１   操作部
６２   連結棒
７５   差込形状部
８２   回転軸
８５   操作窓
８７   雄ネジ部
Ｈ     輪形ハンドル
Ｓ     スポーク
【要約】
【課題】汎用性が高く、調整の容易な輪形ハンドル用回転器具を提供すること。
【解決手段】輪形ハンドルを回転操作する際に、短尺な第１、第２突棒２１、２２をスポークの間に差し込んで、長尺な操作棒１１の把持部１２を掴んで操作するウィルキ１０であって、操作棒は第１突棒が一体の第１先端部１３と、第２突棒が一体の第２先端部１４とを先端側に備えて、第２先端部が把持部側本体部と一体の円筒形状に形成され、第１先端部が該本体部と別体で当該円筒形状内に差込可能な円柱形状部１５を有して長さ方向に相対移動自在に連結されるスライド構造に作製されており、第２先端部内の円柱形状空間１６内に雌ネジ部１８が、第１先端部の円柱形状部に雄ネジ部１７が形成されて相対回転自在に連結するネジ構造に作製され、その相対回転を制限するストッパ溝１９とストッパネジ２５とを具備する。
【選択図】図１【図１】
0005497211.tif 000002
【図２】
0005497211.tif 000003
【図３】
0005497211.tif 000004
【図４】
0005497211.tif 000005
【図５】
0005497211.tif 000006
【図６】
0005497211.tif 000007